(57)【要約】【課題】  立体感の有る表示意匠を視認させることが可能な計器用指針を提供する。【解決手段】  長手状に伸びる指示部４１と、指示部４１の回転中心部Ｒを覆う指針キャップ４２とを備え、指針キャップ４２が、指示部４１の回転中心部Ｒの真上に位置し指示部４１の回転中心部Ｒに対応して開口形成された貫通部４２ａを有する基部４２ｂと、貫通部４２ａを塞ぐように基部４２ｂに配設される被覆部材９とを備え、被覆部材９が、光透過性の基板９１と、基板９１の裏面に形成され指針キャップ４２の前方側から入射する光によって基部４２ｂと略同一色をなすように視認される地色部９３と、地色部９３の形成されない抜き部９５を含むように基板９１の裏面側に形成され指針キャップ４２の前方側から入射する光を反射する反射部９４と、抜き部９５に対応する基板９１部分を基板９１の表面側に隆起させた隆起部９７とを備えてなる。【選択図】  図３
2008039620.tif 000002
【特許請求の範囲】
【請求項１】
長手状に伸びる指示部と、前記指示部の回転中心部を覆う指針キャップとを備え、
前記指針キャップが、前記指示部の回転中心部の真上に位置し前記指示部の回転中心部に対応して開口形成された貫通部を有する基部と、前記貫通部を塞ぐように前記基部に配設される被覆部材とを備え、
前記被覆部材が、光透過性の基板と、前記基板の表面または裏面に形成され前記指針キャップの前方側から入射する光によって視認される地色部と、少なくとも前記地色部の形成されない抜き部を含むように形成され前記指針キャップの前方側から入射する光を反射する反射部と、前記抜き部に対応する前記基板部分を前記基板の表面側に隆起させた隆起部とを備えてなることを特徴とする計器用指針。
【請求項２】
前記隆起部の表面に筋目模様が施されてなることを特徴とする請求項１記載の計器用指針。
【請求項３】
前記反射部が、前記指針キャップの背後に位置する光源の消灯時には前記指針キャップの前方側から入射する光の反射によってその色調が視認されるとともに、前記光源の点灯時には前記光源からの光を透過する半透過反射部からなることを特徴とする請求項１記載の計器用指針。
【請求項４】
前記被覆部材は、環状凸部からなる前記隆起部を有するように絞り成形されたプラスチックシートからなることを特徴とする請求項１記載の計器用指針。
【請求項５】
前記被覆部材は、環状凸部からなる前記隆起部を有する板状部材からなることを特徴とする請求項１記載の計器用指針。
【発明の詳細な説明】
【技術分野】
【０００１】
本発明は、例えば自動車を代表とする各種車両に用いられる計器用指針に関する。
【背景技術】
【０００２】
従来、この種の計器用指針にあっては、例えば下記特許文献１に記載されているものが知られている。この特許文献１に記載の計器用指針は、駆動装置の回転軸と略直交方向に長手状に伸びる指示部と、前記指示部の回転中心部を覆う指針キャップとを備え、前記指示部の回転中心部には、前記指針キャップの背後に配置される光源からの光を受光し、その光を前記指示部の先端側や前記指針キャップ側に導光する受光部が形成されている。この場合、前記指示部は、例えば透光性樹脂材料からなり、指標板に設けられた数字、目盛等の指標部を指示するものである。
【０００３】
また前記指針キャップは、透光性着色樹脂材料からなり、略円筒カップ形状に形成され、前記指針の回転中心部の真上に位置する円板状の上面部（基部）と、この上面部の外周より前記回転軸の軸方向に沿って垂下するように延びる筒状の側壁部と、前記上面部に対向するように開口形成される略円形の開口部とを備えている。従って、前記光源の消灯時には、前記指針キャップの前方側からの入射する光が、前記上面部表面及び前記側壁部表面を反射することで、前記指針キャップは、主として前記上面部のみが所定の第１の色を有するように運転者（観察者）に視認される。一方、前記光源の点灯時には、前記光源から発せられる光が、前記上面部及び前記側壁部を透過することで、前記指針キャップは、主として前記上面部のみが前記第１の色または前記第１の色とは異なる所定の第２の色を有するように前記運転者に発光表示されるものであった。
【特許文献１】特開２０００−２２１０６０号公報
【発明の開示】
【発明が解決しようとする課題】
【０００４】
ところで、特許文献１に記載の計器用指針の場合、前記指針キャップ（前記上面部）が、前記光源の点灯・消灯に関係なく、常時、前記第１の色を有するように平面的に視認されるか、または前記光源の点灯に応じて前記第１の色から前記第２の色に切り替わるように平面的に視認される構成である。このように前記指針キャップ自体の見栄えが平面的であるため、立体感に乏しいという問題点があり、更なる改良の余地が残されていた。
そこで本発明は、前述の課題に対して対処するため、立体感の有る表示意匠を視認させることが可能な計器用指針の提供を目的とするものである。
【課題を解決するための手段】
【０００５】
本発明は、長手状に伸びる指示部と、前記指示部の回転中心部を覆う指針キャップとを備え、前記指針キャップが、前記指示部の回転中心部の真上に位置し前記指示部の回転中心部に対応して開口形成された貫通部を有する基部と、前記貫通部を塞ぐように前記基部に配設される被覆部材とを備え、前記被覆部材が、光透過性の基板と、前記基板の表面または裏面に形成され前記指針キャップの前方側から入射する光によって視認される地色部と、少なくとも前記地色部の形成されない抜き部を含むように形成され前記指針キャップの前方側から入射する光を反射する反射部と、前記抜き部に対応する前記基板部分を前記基板の表面側に隆起させた隆起部とを備えてなることを特徴とする。
【０００６】
また本発明は、前記隆起部の表面に筋目模様が施されてなることを特徴とする。
【０００７】
また本発明は、前記反射部が、前記指針キャップの背後に位置する光源の消灯時には前記指針キャップの前方側から入射する光の反射によってその色調が視認されるとともに、前記光源の点灯時には前記光源からの光を透過する半透過反射部からなることを特徴とする。
【０００８】
また本発明は、前記被覆部材は、環状凸部からなる前記隆起部を有するように絞り成形されたプラスチックシートからなることを特徴とする。
【０００９】
また本発明は、前記被覆部材は、環状凸部からなる前記隆起部を有する板状部材からなることを特徴とする。
【発明の効果】
【００１０】
本発明によれば、初期の目的を達成でき、立体感の有る表示意匠を視認させることが可能な計器用指針を提供できる。
【発明を実施するための最良の形態】
【００１１】
（第１実施形態）図１から図６は、本発明の第１実施形態を示すもので、以下、これらに基づいて本発明の実施形態を例えば車両に搭載される計器装置（指針式速度計）の計器用指針に適用した場合について説明する。なお、図１は本発明の第１実施形態による計器装置の正面図、図２は図１のＡ−Ａ断面図、図３は図２中、Ｂ部を拡大して示す要部断面図、図４は同実施形態による被覆部材を拡大して示す断面図、図５は同実施形態による光源消灯時の計器用指針の要部正面図、図６は同実施形態による光源点灯時の計器用指針の要部正面図である。
【００１２】
図１，図２は、本発明の計器用指針を搭載した計器装置（指針式速度計）の一実施形態を示すものであり、かかる計器装置は、回路基板１と、この回路基板１に導通装着され回転軸２が前方に延びる駆動装置３と、回転軸２にて回転駆動される指針（計器用指針）４と、この指針４によって指示される後述する指標部を有する指標板５と、指針４を照明する光源６と、指標板５を照明する指標用光源７と、回路基板１と指標板５との間に配置されるケース体８とから構成される。
【００１３】
回路基板１は、例えばガラスエポキシ系基材に配線パターン（図示せず）を施した硬質回路基板からなり、光源６と、指標用光源７と、駆動装置３の駆動・制御を行う駆動手段（図示せず）や抵抗、コンデンサ等の各種回路部品（図示せず）が前記配線パターンに導通接続されている。
【００１４】
駆動装置３は、可動磁石式計器またはステッピングモータからなり、回転軸２が回路基板１を貫通するように、その主要部が回路基板１の背後に装着され、且つ半田付け等の適宜導通手段により前記配線パターンに電気接続される。
【００１５】
指針４は、図３に詳しく示すように駆動装置３の回転軸２に対し略直交方向に長手状に伸びる透光性合成樹脂からなる指示部４１と、この指示部４１の回転中心部Ｒの外周を覆う指針キャップ４２とを備え、指示部４１の回転中心部Ｒには、背後に配置された光源６から発せられる光を受光し、その光を指示部４１の先端側に反射導光する受光部４３が形成されている。また本実施形態の場合、受光部４３に到達した光の一部は、指針キャップ４２側にも導かれるようになっている。なお、４４は、指示部４１の背面に形成される赤色のホットスタンプ層である。
【００１６】
この場合、指針キャップ４２は、例えば黒色の遮光性合成樹脂からなり、指示部４１の回転中心部Ｒの真上に位置し、回転中心部Ｒに対応（対向）する略円形の貫通孔からなる貫通部４２ａを有する略円環形状の基部４２ｂと、この基部４２ｂの外周より回転軸２の軸方向に沿って垂下するように延びる略筒状の側壁部４２ｃと、開口形成される基部４２ｂの貫通部４２ａとは反対側に開口形成される略円形の開口部４２ｄと、基部４２ｂの略中央部に開口形成される貫通部４２ａを塞ぐように貫通部４２ａの後述する環状溝部に配設される後述するプラスチックシート９とを備えている。なお、側壁部４２ｃには、指示部４１を指針キャップ４２の周囲に露出させるためのスリットからなる切り欠き部４２ｅが形成されている。
【００１７】
そして、略円形の貫通孔からなる貫通部４２ａの内壁面には、後述する外形形状が略円形からなるプラスチックシートの周縁である円環部を配設するための断面略「コ」字形状の環状溝からなる環状溝部４２ｆが形成されている。
【００１８】
かかる環状溝部４２ｆに指針４（指示部４１）の回転中心部Ｒを覆うように配設される外形形状が略円形のプラスチックシート（被覆部材）９は、図４に詳しく示すようにポリカーボネイト等からなる薄板状の光透過性の基板９１と、後述する絞り加工後に後述する環状凸部表面に形成されるスピン状の筋目模様（ヘアライン模様）９２と、この筋目模様９２の形成箇所を除いた基板９１の背面（裏面）部分に形成される黒色の地色部９３と、筋目模様９２に対応するように基板９１の背面に形成される半透過層からなる半透過反射部（反射部）９４とを有し、ヘアライン模様からなる筋目模様９２は、この場合、その模様全体が略リング形状を呈している。
【００１９】
地色部９３は、筋目模様９２を取り巻く円環状領域である筋目模様９２の外側領域、並びに筋目模様９２によって囲まれる円形領域である筋目模様９２の内側領域にそれぞれ設けられ、黒色の遮光性インクにより、前記内側領域並びに前記外側領域に対応する基板９１の背面箇所にスクリーン印刷等の手段を用いて印刷形成される。また必要に応じて、地色部９３に対応する基板９１の表面部分にオーバーコート層（図示せず）を設けてもよい。さらに、地色部９３は、筋目模様９２の形成箇所を除いた基板９１の表面部分に形成することも可能であり、このように基板９１の表面に形成される地色部９３に重ねて前記オーバーコート層を設けてもよい。
【００２０】
また半透過反射部９４は、指針４の前方から入射する（結果的に基板９１を通過する）自然光等の外光を観察者側に反射し、且つ光源６からの光を透過する例えばシルバー系の色調を有する半透過性のホットスタンプ層からなり、地色部９３の印刷形成されない抜き部９５を含む（換言すると、抜き部９５、並びに地色部９３と抜き部９５との境界部分を含む）ように基板９１の背面側に形成される。
【００２１】
ところで、本実施形態の場合、プラスチックシート９は、立体形状（立体造形）を有するように形成されており、略中央部に位置して筋目模様９２の前記内側領域に対応する略円板状の平板部９６と、この平板部９６を取り巻くように基板９１を部分的に隆起させた略凸形状を呈する環状凸部（隆起部）９７と、平板部９６と略同一面になるように設定され、環状凸部９７をさらに取り巻く略円環板状の平坦部９８とを備え、地色部９３と半透過反射部９４とを基板９１の背面に形成した後、基板９１を熱変形させる、所謂、絞り加工（絞り成形）により立体形状からなるプラスチックシート９が形成されている。
【００２２】
環状凸部９７は、本実施形態の場合、抜き部９５に対応する基板９１部分が、基部９１の表面側に隆起したリング状の隆起形状（突出形状）からなるものであるが、これに限定されることはなく、例えば環状凸部９７をドーム形状（袋形状）や山形に隆起させた隆起形状としてもよい。同様に、平板部９６は、円形の平板状に限らず、例えば環状凸部９７と同一方向に隆起してなる球面状の隆起形状に設定してもよい。
【００２３】
また、かかるプラスチックシート９において、前記絞り加工前に基板９１に予め形成されていないヘアライン模様からなる筋目模様９２は、前記絞り加工の際に環状凸部９７の表面に形成（転写）されるようになっている。
【００２４】
具体的には、図示省略するが、筋目模様９２は、前記絞り加工の際に平板部９６、環状凸部９７、平担部９８と同時に環状凸部９７上に施され、筋目模様９２を形成すべき箇所に対応する絞り加工用成形型の環状凹部における底部側内壁面（つまり、環状凸部９７を形成するための絞り加工用成形型の環状凹部における底部側内壁面）には、同心円状の複数の微細凹溝が施されている。従って、前記絞り加工時には、抜き部９５に対応する基板９１箇所が、前記環状凹部に沿うように絞り成形されることで環状凸部９７が略凸形状となるが、このとき環状凸部９７表面は、前記複数の微細凹溝の施された前記環状凹部における底部側内壁面に密着することから、結果的に前記絞り加工後における環状凸部９７表面には、前記複数の微細凹溝による筋目模様（ヘアライン模様）９２が前記絞り加工と同時に施されることになる。
【００２５】
このようにして絞り加工されたプラスチックシート９は、本実施形態の場合、その周縁に位置する平担部９８が、指針キャップ４２（基部４２ｂ）における貫通部４２ａの内壁面に設けられた環状溝部４２ｆに嵌め合わされた状態で、貫通部４２ａを塞ぐように指針キャップ４２と一体形成されている。
【００２６】
具体的には、前記絞り加工されたプラスチックシート９を図示しない射出成形用金型内にセットし、前記射出成形用金型を閉じた後、図示しない射出成形機を用いて指針キャップ４２（基部４２ｂ、側壁部４２ｃ）となる溶融樹脂を前記射出成形用金型内に射出する。前記溶融樹脂を射出した後、前記溶融樹脂を冷却することにより固化させ、前記射出成形用金型を開いて取り出すことにより、プラスチックシート９は、その平担部９８が基部４２ｂに設けた環状溝部４２ｆに嵌め合わされた状態で、貫通部４２ａを塞ぐように指針キャップ４２と一体形成される構成となる。
【００２７】
かかるプラスチックシート９の一体形成された指針キャップ４２は、指示部４１の回転中心部Ｒを覆い隠すように指示部４１に固定される。これにより前記観察者は、プラスチックシート９の表面（環状凸部９７の突出している側）と、これを取り巻く基部４２ｂの表面とを直接、視認することができる。このことは、プラスチックシート９表面（環状凸部９７の突出している側）と基部４２ｂ表面とで指針キャップ４２の可視領域が構成されることを意味している。
【００２８】
指標板５は、車両の速度を表示するための速度表示部からなり、指針４の回転軌道に沿った円弧状の配列形状を有し、指示部４１の指示対象となる目盛５１ａ，数字５１ｂからなる指標部５１と、この指標部５１の背景をなす背景部５２とを有している（図１参照）。
【００２９】
これら指標部５１並びに背景部５２は、指標部５１が白色系の透光性インクにより、また背景部５２が黒色系の遮光性インクにより、それぞれ指標板５の母材となる薄板状の透光性基材５３の表面にスクリーン印刷等の手段を用いて印刷形成される（図２参照）。なお、５４は、回転軸２が貫通する略円形の孔部であり、この孔部５４は、指標板５の略中央部に開口形成されている。
【００３０】
光源６は、例えば赤色光を発するチップ型発光ダイオードからなり、指針４の回転中心部Ｒに対応する回路基板１上に複数個配置され、指示部４１並びに指針キャップ４２に備えられる環状凸部９７を発光させる発光体である。
【００３１】
指標用光源７は、例えば白色光を発するチップ型発光ダイオードからなり、ケース体８の後述する第１の反射部に対応する回路基板１の前方側に複数個配置され、指標部５１を発光させる発光体である。
【００３２】
ケース体８は、例えば白色系の合成樹脂からなり、回路基板１と指標板５との間に位置して指標板５を保持する保持体としての機能、光源６並びに指標用光源７から発せられる光を前方側に反射する反射体としての機能等を有しており、指標板５の孔部５４に対応し光源６からの光を指針４の受光部４３に導く空洞部８１を有する筒状部８２と、この筒状部８２を取り巻くように指標板５側に傾斜して延び指標用光源７と対向する第１の反射部８３と、筒状部８２の先端側に形成され指標板５の孔部５４に嵌合する一対の係止爪８４と、指標用光源７を収納する開放部８５と、この開放部８５から外周に向けて指標板５に近接する皿形状の環状壁からなる第２の反射部８６と、この第２の反射部８６の外周を取り巻く周壁部８７とを備えている。
【００３３】
この場合、ケース体８の第１の反射部８３は、指標用光源７からの光を主に外周に向けて放射状に反射する反射面を構成し、またケース体８の第２の反射部８６は、第１の反射部８３を通じて外周に反射された光を指標板５側に反射する反射面を構成している。
【００３４】
かかる実施形態によれば、光源６，指標用光源７の消灯時の場合、指針４の指示部４１は、指針４の前方側から入射する前記外光が、指示部４１内に入射し、赤色のホットスタンプ層４４の表面を反射することにより赤色を有するように視認される。
【００３５】
また指針４における指針キャップ４２の前記可視領域のうち基部４２ｂは、指針キャップ４２の前方側から入射する前記外光が基部４２ｂ表面を反射することにより基部４２ｂ自体の色調である黒色を有するように視認される。さらに前記可視領域である平板部９６並びに平担部９８は、前記外光が平板部９６、平担部９８に対応する基板９１箇所を透過して、この透過光が地色部９３の表面を反射することにより、地色部９３自体の色調である黒色を有するように視認される。加えて、残りの前記可視領域である環状凸部９７は、前記外光が筋目模様９２、基板９１を通過（透過）して半透過反射部９４の表面で反射することにより半透過反射部９４自体の色調であるシルバー色を背景とするヘアライン模様により視認される。
【００３６】
従って、指針キャップ４２は、図５に示すようにシルバー色を下地とするリング状のヘアライン模様が、環状凸部９７の突出形状による立体造形を伴って黒色背景部分の前方に突出するような表示意匠として視認される。つまり、このヘアライン模様付き立体造形により指針キャップ４２の立体感が強調されることから、指針キャップにおける面白みの有る新規な見せ方を実現することができる。
【００３７】
なお、指標用光源７の消灯時には、前記外光が指標部５１、背景部５２の表面を反射することにより、指標部５１が指標部５１自体の色調である白色を有するように視認され、背景部５２が背景部５２自体の色調である黒色を有するように視認される。
【００３８】
そして、光源６，指標用光源７の点灯時の場合、光源６から発せられる赤色光は、ケース体８の空洞部８１並びに指標板５の孔部５４を通じて前方側（指針４側）に導光されて受光部４３に到達する。さらに、この受光部４３に到達した赤色光は、受光部４３によって指示部４１の先端側に反射導光される反射光と、受光部４３を通過して受光部４３の真上に位置する指針キャップ４２（プラスチックシート９）側に照射される照射光とに大別される。
【００３９】
指示部４１の先端側に反射導光された反射光は、ホットスタンプ層４４によって着色されることで指示部４１が赤色に発光する。一方、受光部４３を通過して指針キャップ４２（プラスチックシート９）側に照射される照射光は、プラスチックシート９における抜き部９５に対応する半透過反射部９４箇所を透過する。そして、この半透過反射部９４を透過する赤色透過光は、半透過反射部９４の真上に位置する環状凸部９７（抜き部９５に対応する基板９１箇所）をさらに透過して指針キャップ４２（プラスチックシート９）の前方側に出射される。
【００４０】
なお、前記照射光は、プラスチックシート９における平板部９６背面や平担部９８背面、あるいは指針キャップ４２における基部４２ｂ背面や側壁部４２ｃ内壁面にも供給されるが、このうち平板部９６や平担部９８の背面に供給される光は、平板部９６や平担部９８の背面に形成されている地色部９３によって吸収され、プラスチックシート９の前方側には出射されないようになっている。また基部４２ｂの背面や側壁部４２ｃの内壁面に供給される光は、基部４２ｂや側壁部４２ｃが遮光性を有する黒色合成樹脂材料により形成されていることから、基部４２ｂや側壁部４２ｃは常時、非発光状態となる。
【００４１】
従って、前記照射光は、環状凸部９７のみを透過し、それ以外の部分は透過しないことから、結果的に指針キャップ４２は、図６に示すように環状凸部９７を透過する前記赤色透過光により、赤色を帯びたリング状発光部Ｌを形成する。かかるリング状発光部Ｌは、環状凸部９７の突出形状による立体造形を伴って黒色背景部分の前方に突出するような表示意匠として発光表示される。つまり、この立体造形の発光に伴いリング状発光部の立体感が付与されることから、指針キャップにおける面白みの有る新規な見せ方を実現することができる。
【００４２】
また、環状凸部９７（リング状発光部Ｌ）の発光時には、光源６の消灯時に視認されていた筋目模様（ヘアライン模様）９２が、打ち消されて視認されないようになっている。従って、光源６のオン・オフで指針キャップ４２の立体感を常時、維持しつつ、表示意匠のみが変化することから、光源オン・オフ時の両方で指針キャップの見栄えが斬新なものとなり、商品性を向上させることができる。
【００４３】
なお指標用光源７から発せられる白色光は、ケース体８の第１の反射部８３，第２の反射部８６を通じて透光性基材５３内に供給され、この透光性基材５３を通過した光が指標部５１内を透過することにより指標部５１の目盛５１ａ，数字５１ｂが白色に発光する。
【００４４】
また本実施形態では、被覆部材９が、環状凸部９７を有するように絞り成形されたプラスチックシートからなることにより、指針キャップ４２上に突出する環状凸部９７の幅寸法Ｍ（図４参照）を自由に設定することが可能となり、設計自由度が向上する。例えば環状凸部９７の幅寸法を約３ｍｍ程度の幅の狭い寸法に設定することができる。
【００４５】
また本実施形態では、プラスチックシート９と基部４２とが、インサート成形によって一体形成されてなることによって、計器用指針の組み付け時にプラスチックシート９と基部４２とを組み付ける工程が不要となるため、生産性を向上させることができる。
【００４６】
（第２実施形態）次に、図７、図８を用いて、本発明の第２実施形態を説明するが、前述した第１実施形態と同一もしくは相当個所には、同一符号を付してその詳細な説明は省略する。なお、図７は本発明の第２実施形態による計器用指針の要部断面図、図８は同第２実施形態による板状部材を拡大して示す断面図である。
【００４７】
この第２実施形態が、前記第１実施形態と比べて異なる点は、絞り加工されたプラスチックシート９に代えて、アクリル樹脂等からなる略円板状の板状部材１０を採用し、略円形の貫通部４２ａを塞ぐように略円板状の板状部材１０と指針キャップ４２とを一体形成した点である。
【００４８】
具体的には、板状部材（被覆部材）１０は、図７、図８に示すように、その外形形状が略円板形状からなり、略円板形状からなる光透過性の基板１０ａと、この基板１０ａの表面に突出形成される環状凸部（隆起部）１０ｂと、この環状凸部１０ｂの表面に形成されるリング状の筋目模様（ヘアライン模様）１０ｃとを備え、環状凸部１０ｂを除く基板１０ａの背面部分には、地色部１０ｄが形成されている。さらに、地色部１０ｄの印刷形成されない抜き部１０ｅには、抜き部１０ｅ並びに抜き部１０ｅと地色部１０ｄとの境界部分を覆うように半透過反射部（反射部）１０ｆが形成されている。
【００４９】
つまり、前記第１実施形態にて採用した基板９１、環状凸部９７、筋目模様９２、地色部９３、抜き部９５並びに半透過反射部９４に代えて、本第２実施形態では基板１０ａ、環状凸部１０ｂ、筋目模様１０ｃ、地色部１０ｄ、抜き部１０ｅ並びに半透過反射部１０ｆが採用されていることになる。また、この場合、板状部材１０は、前記第１実施形態と同様な手法（インサート成形）により貫通部４２ａを塞ぐように指針キャップ４の基部４２ｂと一体形成される。なお、筋目模様１０ｃは、板状部材１０の成形時に環状凸部１０ｂ表面に転写される構成となっている。
【００５０】
かかる第２実施形態においても、光源６の消灯時の場合、指針キャップ４２の前記可視領域のうち基部４２ｂは、前記外光が基部４２ｂ表面を反射することにより黒色を有するように視認される。さらに前記可視領域である環状凸部１０ｂを除いた基板１０ａ箇所は、前記外光が環状凸部１０ｂを除いた基板１０ａ箇所を透過して、この透過光が地色部１０ｄの表面を反射することにより、基部４２ｂと同色の黒色を有するように視認される。加えて、残りの前記可視領域である環状凸部１０ｂは、前記外光が筋目模様１０ｃ、基板１０ａを通過（透過）して半透過反射部１０ｆの表面で反射することによりシルバー色を背景とするヘアライン模様により視認される。
【００５１】
従って、指針キャップ４２は、シルバー色を下地とするリング状のヘアライン模様が、環状凸部１０ｂの突出形状による立体造形を伴って黒色背景部分の前方に突出するように視認される。つまり、このヘアライン模様付き立体造形により指針キャップ４２の立体感が強調されることから、前記第１実施形態と同様の作用効果を得ることができる。
【００５２】
一方、光源６の点灯時の場合、光源６から発せられる赤色光は、ケース体８の空洞部８１並びに指標板５の孔部５４を通じて前方側（指針４側）に導光されて受光部４３に到達する。さらに、この受光部４３に到達した赤色光は、受光部４３によって指示部４１の先端側に反射導光される反射光と、受光部４３を通過して受光部４３の真上に位置する指針キャップ４２（板状部材１０）側に照射される照射光とに大別される。
【００５３】
指示部４１の先端側に反射導光された反射光は、ホットスタンプ層４４によって着色されることで指示部４１が赤色に発光する。一方、受光部４３を通過して指針キャップ４２（板状部材１０）側に照射される照射光は、板状部材１０における抜き部１０ｅに対応する半透過反射部１０ｆ箇所を透過する。そして、この半透過反射部１０ｆを透過する赤色透過光は、半透過反射部１０ｆの真上に位置する環状凸部１０ｂ（抜き部１０ｅに対応する基板１０ａ箇所）をさらに透過して指針キャップ４２（板状部材１０）の前方側に出射される。
【００５４】
前記照射光は、前記第１実施形態と同様に環状凸部１０ｂのみを透過し、それ以外の部分は透過しないことから、結果的に指針キャップ４２は、環状凸部１０ｂを透過する前記赤色透過光により、赤色を帯びたリング状発光部を形成する。かかるリング状発光部は、環状凸部１０ｂの突出形状による立体造形を伴って黒色背景部分の前方に突出するように発光表示される。つまり、この立体造形の発光に伴いリング状発光部の立体感が付与されることから、前記第１実施形態と同様の作用効果を得ることができる。
【００５５】
また、環状凸部１０ｂ（リング状発光部）の発光時には、光源６の消灯時に視認されていた筋目模様（ヘアライン模様）１０ｃが、打ち消されて視認されないようになっている。従って、光源６のオン・オフで指針キャップ４２の立体感を常時、維持しつつ、表示意匠のみが変化することから、光源オン・オフ時の両方で指針キャップの見栄えが斬新なものとなり、商品性を向上させることができる。
【００５６】
また本第２実施形態では、板状部材１０と基部４２とが、インサート成形によって一体形成されてなることによって、計器用指針の組み付け時に板状部材１０と基部４２とを組み付ける工程が不要となるため、生産性を向上させることができる。
【００５７】
また前記各実施形態では、環状凸部９７、１０ｂの表面にヘアライン模様９２、１０ｃを形成し、光源６の消灯時にシルバー色を下地とするリング状のヘアライン模様９２、１０ｃが、環状凸部９７、１０ｂの突出形状による立体造形を伴って黒色背景部分の前方に突出するように視認される例について説明したが、例えばヘアライン模様９２、１０ｃを廃止することも可能である。この場合、光源６の消灯時には、環状凸部９７、１０ｂの突出形状による立体造形が黒色背景部分の前方に突出する構成となる。
【００５８】
また前記各実施形態では、指針キャップ４２の基部４２ｂが黒色の遮光性合成樹脂からなり、プラスチックシート９や板状部材１０に備えられる地色部９３、１０ｄが基部４２ｂと同色の黒色系の遮光性インクを用いて形成されてなる例について説明したが、例えば透光性合成樹脂からなる基部４２ｂ表面が、蒸着や塗装等の手段によってシルバー系からなる遮光性の金属調表面色を有するように形成され、地色部９３、１０ｄが遮光性ミラーインク（あるいは遮光性レインボーインク）によりシルバー系の色調を有するように形成してもよい。
【００５９】
この場合、光源６の消灯時は、基部４２ｂ、地色部９３、１０ｄ並びに半透過反射部９４、１０ｆが全てシルバー系の色調となるので、指針キャップ４２は平面的に視認されるが、光源６が点灯すると、光源６から発せられる赤色光は、半透過反射部９４、１０６を透過して環状凸部９７、１０ｂの前方側に出射されるので、結果的に指針キャップ４２は、環状凸部９７、１０ｂを透過する前記赤色透過光により、赤色を帯びたリング状発光部を形成する。かかるリング状発光部は、光源６の点灯に伴い環状凸部９７、１０ｂの突出形状による立体造形を伴ってシルバー色背景部分の前方に突出するように発光表示されるので、前記各実施形態と同様の作用効果を得ることができる。
【００６０】
なお前記各実施形態では、指針キャップ４２の基部４２ｂが黒色の遮光性合成樹脂からなり、プラスチックシート９や板状部材１０に備えられる地色部９３、１０ｄが基部４２ｂと同色の黒色系の遮光性インクを用いて形成されてなる例について説明したが、基部４２ｂと地色部９３、１０ｄとを同色ではなく異色に設定することも可能であり、例えば透光性合成樹脂からなる基部４２ｂ表面を蒸着や塗装等の手段によってシルバー系からなる遮光性の金属調表面色を有するように形成し、地色部９３、１０ｄを黒色系の遮光性インクを用いて形成してもよい。
【００６１】
また前記各実施形態では、基板９１、１０ａの表面に突出形成される隆起部９７、１０ｂが環状凸部からなる例について説明したが、隆起部９７、１０ｂの形状は、あらゆる形状を適用することが可能であり、例えば枠状凸部からなる突起形状や、径小の第１環状凸部とこの第１環状凸部を取り巻く径大の第２環状凸部とで構成される２重の環状凸部からなる突起形状としてもよい。かかる枠状凸部や２重の環状凸部の表面に、必要に応じてヘアライン模様を施すことが可能であることは言うまでもない。
【００６２】
また前記各実施形態では、反射部９４、１０ｆが、前記外光を前記観察者側に反射し、且つ光源６からの光を透過する例えばシルバー系の色調を有する半透過性のホットスタンプ層からなる例について説明したが、例えば反射部９４、１０ｆを、前記外光を前記観察者側に反射し、光源６からの光を透過するような地色部９３、１０ｄとは異なる色の適宜色を有する半透過性着色層により形成してもよい。
【００６３】
具体的には、例えば地色部９３、１０ｄを黒色、反射部９４、１０ｆを黄色、光源６の発光色を赤色とした場合、光源６の消灯時は、反射部９４、１０ｆ自体の色調である黄色を下地とするリング状のヘアライン模様が、環状凸部９７、１０ｂの突出形状による立体造形を伴って黒色背景部分の前方に突出するように視認され、光源６の点灯時は、赤色と黄色の混合色である略橙色を帯びたリング状発光部を形成する。かかる略橙色のリング状発光部は、環状凸部９７、１０ｂの突出形状による立体造形を伴って黒色背景部分の前方に突出するように発光表示される。
【図面の簡単な説明】
【００６４】
【図１】本発明の第１実施形態による計器装置の正面図である。
【図２】図１のＡ−Ａ断面図である。
【図３】図２中、Ｂ部を拡大して示す要部断面図である。
【図４】同実施形態による被覆部材を拡大して示す断面図である。
【図５】同実施形態による光源消灯時の計器用指針の要部正面図である。
【図６】同実施形態による光源点灯時の計器用指針の要部正面図である。
【図７】本発明の第２実施形態による計器用指針の要部断面図である。
【図８】同第２実施形態による板状部材を拡大して示す断面図である。
【符号の説明】
【００６５】
４    指針
５    指標板
６    光源
９    プラスチックシート（被覆部材）
１０    板状部材（被覆部材）
４１    指示部
４２    指針キャップ
４２ａ  貫通部
４２ｂ  基部
４３    受光部
５１    指標部
９１、１０ａ  基板
９２、１０ｃ  筋目模様（ヘアライン模様）
９３、１０ｄ  地色部
９４、１０ｆ  半透過反射部（反射部）
９５、１０ｅ  抜き部
９６    平板部
９７、１０ｂ  環状凸部（隆起部）
９８    平坦部
Ｌ    リング状発光部
Ｒ    回転中心部
【図１】
2008039620.tif 000003
【図２】
2008039620.tif 000004
【図３】
2008039620.tif 000005
【図４】
2008039620.tif 000006
【図５】
2008039620.tif 000007
【図６】
2008039620.tif 000008
【図７】
2008039620.tif 000009
【図８】
2008039620.tif 000010